(57)【要約】      （修正有）【課題】虫の進入を防止し、取り付けが容易なランプケーシングを提供する。【解決手段】ランプケーシングはランプカバーとランププレートを含み、ランププレートの内側に止め具が取り付けられ、ランプカバーのエッジには掛け部が設けられ、止め具は溝形ケーシングと溝形ケーシングの外壁に設けられているリードを含み、リードの一端には湾曲部が設けられ、湾曲部は溝形ケーシングの中に延伸され、溝形ケーシングの内側には係止部が設けられ、湾曲部と係止部はそれぞれ掛け部と係合している。これにより、掛け部は係止部とリードの作用によって止め具の中に係入されて、ランプカバーの取り付けを実現し、ランププレートと緊密に係合させる。ランプカバーを取り付ける際に、掛け部は、リードを圧縮し、掛け部がリードから離される際に、リードは自動復元しながら震動し、「カチッ」という音を出して、ランプカバーの取り付けが完了したことを知らせる。【選択図】図１
0003202694.tif 000002
【実用新案登録請求の範囲】
【請求項１】
ランプケーシングであって、ランプカバー（1）とランププレート（2）を含み、前記ランププレート（2）の内側には止め具（3）が取り付けられ、前記ランプカバー（1）のエッジには掛け部（11）が設けられ、
前記止め具（3）は、溝形ケーシング（31）と、溝形ケーシング（31）の外壁に設けられているリード（32）を含み、
前記リード（32）の一端には湾曲部（341）が設けられ、前記湾曲部（341）は溝形ケーシング（31）の中に延伸されており、
前記溝形ケーシング（31）の内側には係止部（311）が設けられ、前記湾曲部（341）及び係止部（311）はそれぞれ掛け部（11）と係合している、ことを特徴とするランプケーシング。
【請求項２】
前記リード（32）の端部にはL字形の取り付け片（322）が設けられ、前記取り付け片（322）の一端は溝形ケーシング（31）の底面と互いに連結され、前記取り付け片（322）の他端は溝形ケーシング（31）の側面と互いに連結されている、ことを特徴とする請求項１に記載のランプケーシング。
【請求項３】
前記溝形ケーシング（31）の底面には取り付け溝（312）が設けられ、前記取り付け片（322）の端部は取り付け溝（312）の中に挿入されている、ことを特徴とする請求項２に記載のランプケーシング。
【請求項４】
前記溝形ケーシング（31）の側面には貫通孔（313）が設けられ、前記取り付け片（322）の端部にはV字形の係止片（323）が設けられており、前記V字形の係止片（323）は貫通孔（313）の中に係入されている、ことを特徴とする請求項２に記載のランプケーシング。
【請求項５】
前記溝形ケーシング（31）の側面と取り付け片（322）にはそれぞれ取り付け孔（33）が設けられ、両者の取り付け孔（33）は互いに対応している、ことを特徴とする請求項２に記載のランプケーシング。
【請求項６】
前記溝形ケーシング（31）と取り付け孔（33）の相対する他側には操作孔（314）が設けられている、ことを特徴とする請求項５に記載のランプケーシング。
【請求項７】
前記ランププレート（2）の底部には取り付けプレート（4）が設けられ、前記取り付けプレート（4）には複数の係止孔（41）が設けられており、複数の前記係止孔（41）は中心に対称的に設置されている、ことを特徴とする請求項１に記載のランプケーシング。
【請求項８】
前記ランププレート（2）と取り付けプレート（4）は一体にプレス成形されている、ことを特徴とする請求項７に記載のランプケーシング。
【請求項９】
前記係止孔（41）は互いに連通されている長孔（411）と円孔（412）を含み、前記円孔（412）の直径は長孔（411）の幅より大きく、前記長孔（411）と円孔（412）の接合部には位置制限柱（42）が設けられている、ことを特徴とする請求項７に記載のランプケーシング。
【考案の詳細な説明】
【技術分野】
【０００１】
本考案は照明装置に関し、特にランプケーシングに関する。
【背景技術】
【０００２】
ＬＥＤランプは高効率で、省エネで、耐用年数が長くて、精巧である等の技術上の効果を有し、照明市場における新世代の主力製品になりつつある。既存のＬＥＤランプの止め具は、通常、ランププレートの外縁に設置されている止め具を指し、手動で係合させる必要があるため、手間がかかり面倒である。その他の止め具はランププレートの内部のエッジに小さい突出係止フックを設置し、ランプカバーには対応する係止溝が設置されており、このような構造のランプカバーは厚さが制限され、係合されると隙間が存在するため、蚊等の虫の進入を招く恐れがある。
【０００３】
既存技術では、ランププレートの取り付けと取り外しを容易にするために、通常、固定プレートを天井に固定して取り付け、固定プレートに取り付けプレートを取外し可能に設置し、さらに取り付けプレートをランププレートに固定して連結させている。しかし、固定プレートと取り付けプレートを設置することによって金型の費用と製作のコストが増加し、さらにユーザーによる取り付けに不便をもたらしている。
【考案の概要】
【考案が解決しようとする課題】
【０００４】
本考案の目的は、蚊等の虫の進入を防止し、取り付けが容易で、構造が簡単で、製造コストが低いランプケーシングを提供することである。
【課題を解決するための手段】
【０００５】
上述の目的を実現するために、本考案はランプケーシングを提供する。該ランプケーシングはランプカバーとランププレートを含み、ランププレートの内側には止め具が取り付けられ、ランプカバーのエッジには掛け部が設けられ、止め具は溝形ケーシングと溝形ケーシングの外壁に設けられているリードを含み、リードの一端には湾曲部が設けられ、湾曲部は溝形ケーシングの中に延伸され、溝形のケーシングの内側には係止部が設けられ、湾曲部と係止部はそれぞれ掛け部と係合する。これにより、ランプカバーの掛け部は係止部とリードの作用によって止め具の中に係入され、ランプカバーの取り付けを実現し、ランプカバーとランププレートを緊密に係合させて、蚊等の虫の進入を防止する。ランプカバーを取り付ける際に、掛け部はリードに接触して、リードを圧縮し、掛け部がリードから離される際に、リードは自動復元しながら震動し、かつ「カチッ」という音を出して、ユーザーにランプカバーの取り付けが完了したことを知らせることができる。
【０００６】
１実施形態では、リードの端部にはL字形の取り付け片が設けられ、取り付け片の一端は溝形ケーシングの底面と互いに連結し、取り付け片の他端は溝ケーシングの側面と互いに連結されている。これにより、L字形の取り付け片の設置によってリードの溝形ケーシングにおける取り付けがさらに安定になる。
【０００７】
１実施形態では、溝形ケーシングの底面には取り付け溝が設けられ、取り付け片の端部は取り付け溝の中に挿入されている。これにより、取り付け溝は取り付け片の端部の固定に用いられて、リードの取り付け構造を簡略化させる。
【０００８】
１実施形態では、溝形ケーシングの側面には貫通孔が開けられ、取り付け片の端部にはV字形の係止片が設けられ、V字形の係止片は貫通孔の中に係入されている。これにより、V字形の係止片と貫通孔の係合によって取り付け片の端部を固定させて、リードの取り付け構造を簡略化させることができる。
【０００９】
１実施形態では、溝形ケーシングの側面と取り付け片にはそれぞれ取り付け孔が設けられ、両者の取り付け孔は互いに対応する。これにより、取り付け孔の設置によって溝形ケーシングのランププレートにおける取り付けとリードの固定を実現し、止め具の取り付けを容易にしている。
【００１０】
１実施形態では、溝形ケーシングと取り付け孔が相対する他の側面には操作孔が設けられている。これにより、操作孔の設置によって取り付け孔にねじを容易にねじ込むことができる。
【００１１】
１実施形態では、ランププレートの底部には取り付けプレートが設けられ、取り付けプレートには複数の係止孔が設けられ、複数の係止孔は中心に対称的に設置されている。これにより、係止孔の設置によってランププレートの天井における取り付けを容易にしている。
【００１２】
１実施形態では、ランププレートと取り付けプレートが一体にプレス成形され、それによって生産プロセスを簡略化し、コストを削減すると同時に、ランプケーシングの取り付けを容易にしている。
【００１３】
１実施形態では、係止孔は互いに連通されている長孔と円孔を含み、円孔の直径は長孔の幅より大きく、長孔と円孔の接合部には位置制限柱が設けられている。これにより、ランププレートを取り付ける際に、天井にねじを打ち込んで、ねじの端部を円孔の中に嵌め込み、次にランププレートを回転させ、更にねじを長孔の中に滑り込ませて、ランププレートの取り外し可能な取り付けを実現する。位置制限柱の設置によってねじが長孔から脱落することを防止し、ランププレートの取り付けを更に堅固にする。
【考案の効果】
【００１４】
本考案の効果は、ランプケーシングのランプカバーはランププレートに連結され、かつ開放的なシュートを利用して止め具が容易に係合するようにし、ランプカバーとランププレートは緊密に係合されて、蚊等の虫の進入を防止し、リードを用いてユーザーのためにランプカバーの取り付けが完了したことを知らせることができる。係止孔は長孔と円孔で構成され、ランププレートの取外し可能な取り付けを実現し、位置制限柱の設置によってねじが長孔から脱落することを防止し、ランププレートの取り付けをさらに堅固にする。
【図面の簡単な説明】
【００１５】
【図１】図１は、本考案の１実施形態のランプケーシング構造模式図である。
【図２】図２は、図１で示しているランプケーシングのランプカバーの構造模式図である。
【図３】図３は、図１で示しているランプケーシングの止め具とランププレートの係合の構造模式図である。
【図４】図４は、図1で示しているランプケーシングの止め具の構造模式図である。
【図５】図５は、図1で示しているランプケーシングの止め具の他の視角からの構造模式図である。
【図６】図６は、図１で示しているランプケーシングのランププレートの係止孔の構造模式図である。
【考案を実施するための形態】
【００１６】
以下では、図面を用いて本考案に対して更に詳細に説明を行う。
図1〜6では、概略的に本考案の１実施形態におけるランプケーシングを表示している。
【００１７】
図1と図2に示すように、本考案のランプケーシングは、ランプカバー1とランププレート2を含み、ランププレート2の内側には止め具3が取り付けられている。ランプカバー1のエッジには掛け部11が設けられ、掛け部11とランプカバー1は一体成形された構造になっている。止め具3と掛け部11は対を成して設置され、具体的な実施形態で、両者の数量はランプケーシングのサイズによって決められる。
【００１８】
図4と図5に示すように、止め具3は溝形ケーシング31と溝形ケーシング31の外壁に設けられているリード32を含む。リード32の一端には湾曲部321が設けられている。溝形ケーシング31の底面には四角形溝が設けられ、湾曲部321は四角形溝を通って溝形ケーシング31内に延伸されている。溝形ケーシング31の内側には係止部311が設けられ、係止部311は突起ブロックである。
【００１９】
湾曲部321及び係止部311はそれぞれ掛け部11と互いに係合する。ランプカバー1の掛け部11は係止部211及びリード32の作用によって止め具3の中に係入されて、ランプカバー1の取り付けを実現し、これにより、ランプカバー1とランププレート2を緊密に係合させて、蚊等の虫の進入を防止する。ランプカバー1を取り付ける際に、掛け部11はリード32に接触して、リード32を圧縮し、掛け部11がリード32から離される際に、リード32は自動復元しならが震動し、かつ「カチッ」という音を出して、ユーザーにランプカバー1の取り付けが完了したことを知らせている。
【００２０】
リード32の端部にはL字形の取り付け片322が設けられ、取り付け片322の片端は溝形ケーシング31の底面と互いに連結され、取り付け片322の他端は溝形ケーシング31の側面と互いに連結されている。湾曲部321、L字形の取り付け片322及びリード32は金属片であり、一体成形の構造になっている。
【００２１】
溝形ケーシング31の底面には取り付け溝312が設けられている。取り付け溝312はバッフル板と溝形ケーシング31の底面によって構成されている。取り付け片322の端部は取り付け溝312の中に挿入されて、取り付け片322と溝形ケーシング31を互いに貼り合わせる。
【００２２】
溝形ケーシング31の側面には貫通孔313が設けられ、取り付け片322の端部にはV字形の係止片323が設けられ、V字形の係止片323は貫通孔313の中に係入されて、取り付け片322の他端の固定を実現する。
【００２３】
溝形ケーシング31の側面と取り付け片322にはそれぞれ取り付け孔33が設けられ、両者の取り付け孔33は互いに対応している。溝形ケーシング31と取り付け孔33が相対する他の側面には操作孔314が設けられている。図3に示すように、溝形ケーシング31の側辺には突起部315が設けられ、ランププレート2の内側にはバンプ23が設けられている。
【００２４】
止め具3をランププレートに取り付ける際に、突起部315とバンプ23を当接させて、止め具3の位置決めを実現する。次に、操作孔314から道具を通して、取り付け孔33にねじを通させてランププレート1の側壁にねじ込み、それで止め具3の取り付けを完了させる。
【００２５】
図4に示すように、溝形ケーシング31の係止部311が設けられている側板の端部には、さらに半円形傾斜板316が連結され、半円形傾斜板316は外側に向けて傾斜することにより、溝形ケーシング31は開放されている溝を形成する。半円傾斜板316は面取りに相当し、ランプカバー1が回転し始める際に、容易に掛け部11を止め具3の位置に誘導する。
【００２６】
図1と図6に示すように、ランププレート2の底部には取り付けプレート4が設けられている。ランププレート2と取り付けプレート4は一体にプレス成形され、それによって生産プロセスを簡略化し、コストを削減すると同時に、ランプケーシングの取り付けを容易にしている。
【００２７】
取り付けプレート4には複数の係止孔41が設けられ、複数の係止孔41は中心に対称的に設置されている。係止孔41は互いに連通されている長孔411と円孔412を含み、円孔412の直径は長孔411の幅より大きくて、長孔411と円孔412の接合部には位置制限柱42が設けられている。
【００２８】
ランププレート2を取り付ける際に、天井に固定プレートを固定して取り付けて、固定プレートのねじの端部を円孔412の中に嵌め込み、次に、取り付けプレート4を回転させて、ねじを長孔411の中に滑り込ませ、ランププレート2の取外し可能な取り付けを実現する。位置制限柱42を設置することによって、ねじが長孔411から脱落することを防止し、ランププレート2の取り付けをさらに堅固にする。
【００２９】
取り付けプレート4の中間位置には線通し孔が設けられて、電源コードの貫通に用いられている。取り付けプレート4は並んで設置されている3つの小さい円形孔を有して、線接続器の取り付け、固定に用いられている。
【００３０】
上述したのは、本考案のいくつかの実施形態のみである。本分野の当業者にとって、本考案の創造構想を超えない前提で、さらに若干の変形と改善をすることができるが、これらはすべて本実用新案登録請求の保護範囲に属すべきである。
【図１】
0003202694.tif 000003
【図２】
0003202694.tif 000004
【図３】
0003202694.tif 000005
【図４】
0003202694.tif 000006
【図５】
0003202694.tif 000007
【図６】
0003202694.tif 000008